(57)【要約】【課題】従来の抜き取りが楽な差し込みプラグは、指引っ掛け部やノブ、引き抜き基部及びコイルバネ、ロッドなど構成部材が多いので、プラグ本体の左右に湾曲したバネ板のみ備えて、同様の効果を得られるきわめてシンプルなプラグを提供する。【解決手段】上部にコード２を備え、下部にプラグ端子３を有するプラグ本体４の左右上部に固定突部５を設け、下部にスライド穴６を有する保持突部７を形成して成る前記固定突部５に湾曲板バネ８の一方端部を固定し、他方を前記スライド穴６に収めて成る差し込みプラグ１とする。【選択図】図１
0003114327.tif 000002
【実用新案登録請求の範囲】
【請求項１】
コンセントから引き抜きやすいプラグであって、上部にコードを備え、下部にプラグ端子を有するプラグ本体の左右上部に固定突部を設け、下部にスライド穴を有する保持突部を形成して成る前記固定突部に湾曲板バネの一方端部を固定し、他方を前記スライド穴に収めて成る構成を特徴とする差し込みプラグ。
【請求項２】
上記する湾曲板バネに代えて、スライド穴より一定の長さ突出する直状板バネで構成される請求項１に記載する差し込みプラグ。
【考案の詳細な説明】
【技術分野】
【０００１】  本考案は、各種電気器具に用いる差し込みプラグをコンセントから抜き取りやすいプラグに関する。
【背景技術】
【０００２】  従来より、電気器具には電源を取り入れるためのコードにプラグが備えられているが、それらのプラグの中には、コンセントから抜き取りやすい仕組みを備えたタイプがある。その一例としては、プラグを引き抜く際に、プラグ本体の引っ掛け部に指を掛けるか、他の指で挟むか掴むかしてノブを押し込むと、プラグ本体にバネを介在させたロッド端部に設けた引き抜き基部が下部にスライドすることにより、コンセントから楽に引き抜くことができる技術がある。（例えば、特許文献１参照）
【特許文献１】実開平７−３６３７６公報（第３頁−第５頁、図２）
【考案の開示】
【考案が解決しようとする課題】
【０００３】  上記する実開平７−３６３７６公報に示すようなプラグの技術があるが、このプラグは、上部に指引っ掛け部を有する本体内に、上部にノブを下部に引き抜き基部を備えたロッドにバネを介在させたロッドをスライド自在に収めたプラグとし、コンセントから抜き取る場合は、前記するプラグ本体の指引っ掛け部に指を掛けて後にノブを押し込むと、ロッド端部に設けた引き抜き基部が押し出されることで、楽にプラグをコンセントから抜き取れるものである。【０００４】  しかし、その構成は指引っ掛け部を有するプラグ本体はもとより、ノブや引き抜き基部及びロッドにコイルバネを介在させる必要があるなど、構成部材は多く複雑となるのでコスト高要因は避けられない。加えて、構成上においてコード取り出し口はプラグ本体の側面側から取り出さなくてはならないなどの不便や欠点があるプラグの技術である。
【課題を解決するための手段】
【０００５】  本考案は上記するようなプラグが持つ不便や欠点を解消したプラグを提供するために、請求項１においては、上部にコードを備え下部にプラグ端子を有するプラグ本体の左右上部に固定突部を設け、下部にスライド穴を有する保持突部を形成して成る前記固定突部に湾曲板バネの一方端部を固定し、他方を前記スライド穴に収めて成る差し込みプラグとすることにより、コンセントから抜き取る場合は、プラグ本体の左右の湾曲板バネを摘むと湾曲板バネ端部が下部に押し出されることでコンセントから軽く抜けるプラグとする。【０００６】  請求項２においては、上記する湾曲板バネに代えて、スライド穴より一定の長さ突出する直状板バネとする。通常は直状板バネ端部がスライド穴より突出しているが、コンセントに差し込むと、直状板バネが押し込まれるとともに中ほどが湾曲して固定され、コンセントから抜き取る場合は前記実施例１同様に摘むと直状板バネ端部が押し出されてプラグが抜き取れるものとする。
【考案の効果】
【０００７】  本考案による差し込みプラグは、プラグ本体の左右に、板バネの上部を固定し下部をスライド穴に可動自在に収めたきわめてシンプルな構成であるので、機能的なプラグに関わらずきわめて安価に製造できるとともに故障要因は無いプラグである。加えて、実施例１タイプは湾曲板バネを用いているので、コンセントに差し込む時はスライド穴より湾曲板バネは出ていないが、抜き取る際は、左右に飛び出している湾曲板バネを摘むとともにスライド穴から湾曲板バネが飛び出すので、力の弱い女性や子供、高齢者でも軽い力でコンセントから抜き取れる。【０００８】  さらに実施例２タイプは、プラグ本体は実施例１タイプと同じであるが、湾曲板バネに代えて直状板バネを備えているので、通常はスライド穴より直状板バネ端部が突出しているが、コンセントに差し込むと直状板バネが押し込まれるとともに中ほどが湾曲して固定されるが、コンセントより抜き取る際は実施例１と同様に湾曲部を摘むことで、同様の作用で軽く抜き取れるとともに、バネがもとに戻る反発力も得られるので一層軽く抜き取れるなど、従来には見られないユニークな差し込みプラグを提供できる。
【考案を実施するための最良の形態】
【０００９】  コンセントから軽く抜き取れるプラグとするために、プラグ本体の左右に湾曲板バネをスライド自在に介在させ、その湾曲板バネを摘むと板バネの先端が突出することで軽い力でプラグが引き抜けるものとする。
【実施例１】
【００１０】  本考案の実施例１の差し込みプラグを、図１に示す斜視図と図２に示すバネ板を押圧した状態の斜視図で説明する。実施例１の差し込みプラグ１は、上部にコード２を備え下部にプラグ端子３を有するプラグ本体４の左右上部に固定突部５を設け、下部にスライド穴６を有する保持突部７を設けたプラグ本体４を形成し、そのプラグ本体４の固定突部５に円弧状に曲げ形成した湾曲板バネ８の一方を固定し、他方端部は前記保持突部７のスライド穴６に可動自在に収めて成る差し込みプラグ１を構成する。【００１１】  実施例１における差し込みプラグ１は、プラグ本体４の左右に固定突部５とスライド穴６付き保持突部７を設けるとともに、その固定突部５に湾曲板バネ８の一方を固定し、他方を保持突部７のスライド穴６に収めているので、コンセント１０に取り付けた差し込みプラグ１を抜く際は、前記したプラグ本体４の左右に位置する湾曲板バネ８，８を摘むと、湾曲板バネ８の端部はスライド穴６から飛び出してコンセント１０面を押すことにより、差し込みプラグ１は反対方向に動いて軽い力で抜き取れる。
【実施例２】
【００１２】  実施例２の差し込みプラグを図３に示す斜視図と図４に示すコンセントに差し込む状態を示す正面図で説明する。実施例２の差し込みプラグ１は、前記実施例と同様に、コード２とプラグ端子３を備え、かつプラグ本体４の左右に固定突部５とスライド穴６付き保持突部７を設けて成る前記固定突部５に、スライド穴６より一定の長さ突出する直状板バネ９の一方を固定し、他方端部はスライド穴６に収めて、実施例２の差し込みプラグ１を構成する。【００１３】  実施例２における差し込みプラグ１のプラグ本体４は、前記実施例１と同様であるが、その左右に備える板バネは、湾曲板バネ８に代えて真直ぐな直状形板バネ９にしているため、通常はスライド穴６より一定の長さ突出している。この差し込みプラグ１をコンセント１０に差し込むと、図４に示すように突出している直状板バネ９は押し込まれるにしたがい両サイドが湾曲しながら固定される。尚、直状板バネ９の反発力はあるが、プラグ端子３を挟んでいる力の方がはるかに強いので抜ける心配はない。さらにコンセント１０から抜き取る際は両サイドの湾曲部分を摘むと、バネが元の形に戻る反発力と相まってさらに軽い力で抜き取れる。【００１４】  本考案における湾曲板バネ８や直状板バネ９はいずれも長細い板バネが好ましいが、断面が丸いバネ棒でも差し支えない。また板バネを摘み易いように湾曲部に皿状の指当部を設けてもよいし、スライド穴６から飛び出すバネの長さや硬さも含めていずれも特に限定されるものではない。
【産業上の利用可能性】
【００１５】  本案は、一般的な電気製品のプラグを対象とするが、パソコンや他の電気製品に用いられる丸形のプラグなどにも適用できる。
【図面の簡単な説明】
【００１６】
【図１】本考案の実施例１の差し込みプラグを示す斜視図である。
【図２】実施例１の湾曲バネ板を押圧した状態の斜視図である。
【図３】実施例２の差し込みプラグを示す斜視図である。
【図４】実施例２の差し込みプラグをコンセントに差し込む状態を示す正面図である。
【符号の説明】
【００１７】  １  差し込みプラグ
２  コード
３  プラグ端子
４  プラグ本体
５  固定突部
６  スライド穴
７  保持突部
８  湾曲板バネ
９  直状板バネ
１０  コンセント
【図１】
0003114327.tif 000003
【図２】
0003114327.tif 000004
【図３】
0003114327.tif 000005
【図４】
0003114327.tif 000006